(57)【要約】【課題】コンロ本体の前面の構成を簡単に変更できるビルトインコンロを提供する。【解決手段】ビルトインコンロ１では、スイッチ取付部材３０，４０と、電池ボックス５０及び操作ユニット６０とを互いにユニット化してコンロ本体２の前面に組み付ける。スイッチ取付部材３０，４０の底面には取付用リブと溝が設けられている。電池ボックス５０の上部には一対のリブが設けられ、操作ユニット６０の操作カバーの上部にも一対のリブが設けられている。スイッチ取付部材３０，４０の取付用リブと溝に対して、電池ボックス５０のリブと、操作ユニット６０のリブとの何れも係合させることができる。よって、スイッチ取付部材３０，４０の位置を変更せずに、電池ボックス５０と操作ユニット６０との各位置を互いに交換できる。【選択図】図２
2011052841.tif 000002
【特許請求の範囲】
【請求項１】
カウンタトップに形成された開口に組み込まれるコンロ本体を備えたビルトインコンロであって、
前記コンロ本体の前面の右側又は左側には第１ユニットが組み込まれ、
前記コンロ本体の前面の左側又は右側には第２ユニットが組み込まれ、
前記第１ユニットは、第１構造体と、当該第１構造体の上部に取り付けられる第１部材とを備え、
前記第２ユニットは、前記第１構造体とは異なる第２構造体と、当該第２構造体の上部に取り付けられる第２部材とを備え、
前記第１構造体の上部には、第１係合部が設けられ、
前記第２構造体の上部には、第２係合部が設けられ、
前記第１部材及び前記第２部材の底部には、前記第１係合部及び前記第２係合部の何れにも係合する同一の被係合部が各々設けられていることを特徴とするビルトインコンロ。
【請求項２】
前記コンロ本体の左右両側には、前記第１部材又は前記第２部材を固定するための固定部が各々設けられたことを特徴とする請求項１に記載のビルトインコンロ。
【請求項３】
前記第１構造体は、前記バーナを操作するための略直方体状の操作体であって、
前記第２構造体は、電源としての乾電池を収納するための略直方体状の電池ボックスであることを特徴とする請求項１又は２に記載のビルトインコンロ。
【発明の詳細な説明】
【技術分野】
【０００１】
本発明は、ビルトインコンロに関し、詳しくは、カウンタトップに形成された開口に組み込まれるコンロ本体を備えたビルトインコンロに関する。
【背景技術】
【０００２】
従来、カウンタトップに形成された開口にビルトインコンロを嵌め込むようにしたシステムキッチンが一般的に利用されている（例えば、特許文献１参照）。カウンタトップの下方には枠状のフレームが設けられ、そのフレーム内にコンロ本体が組み込まれる。コンロ本体の前面の右側には、枠状の「右側固定フレーム」が取り付けられ、中央のグリル扉を挟んで左側には、枠状の「左側固定フレーム」が取り付けられている。右側固定フレーム及び左側固定フレームは上下二段の枠になっている。例えば、右側固定フレームの上側には、各種バーナを点火・消火させるための点火スイッチを取り付けるためのスイッチ取付部材が嵌め込まれ、下側には、電源としての乾電池を収納するための電池ボックスが嵌め込まれている。一方、左側固定フレームの上側には、同様のスイッチ取付部材が嵌め込まれ、下側には、バーナを操作するための操作パネルを出退させる操作ユニットが嵌め込まれている。
【０００３】
このようなビルトインコンロをシステムキッチンに設置する場合、壁側に中火力バーナを配置し、壁側とは反対側に強火力バーナを配置するのが好ましい。しかし、ビルトインコンロの左右のどちら側に壁がくるかは、各家庭の台所のレイアウトによって様々である。さらに、強火力側は中火力側に比べてコンロ本体２の内部の雰囲気が高温になるので、操作ユニットに接続されている制御基板を強火力側とは反対側に設置する必要がある。これらの事情を踏まえてビルトインコンロを設計する必要がある。
【０００４】
上述のような各事情を考慮して、それぞれの事情に対応したビルトインコンロを全て用意すればいいのであるが、部品点数が増えることから好ましくない。そこで、中火力バーナ及び強火力バーナの位置を互いに交換する場合、中火力バーナ及び強火力バーナの各位置に合わせ、左右の各スイッチ取付部材の位置を互いに交換したり、電池ボックスと操作ユニットの位置を互いに交換する必要がある。
【先行技術文献】
【特許文献】
【０００５】
【特許文献１】特開平９−３０３７９３号公報
【発明の概要】
【発明が解決しようとする課題】
【０００６】
しかしながら、左右の各スイッチ取付部材の位置を互いに交換したり、電池ボックスと操作ユニットの位置を互いに交換する場合、各部材及び各ユニットに対応する「右側固定フレーム」及び「左側固定フレーム」をそれぞれの形状に応じて準備しなけれなならず、部品点数が増えるという問題点があった。また、コンロ本体の前面には、右側固定フレーム、左側固定フレーム、２つのスイッチ取付部材、電池ボックス及び操作ユニットの少なくとも６部材を取り付けなければならないため、コンロ本体の前面の構成を変更することが困難であった。
【０００７】
本発明は、上記課題を解決するためになされたものであり、コンロ本体の前面の構成を簡単に変更できるビルトインコンロを提供することを目的とする。
【課題を解決するための手段】
【０００８】
本発明の請求項１に係るビルトインコンロは、カウンタトップに形成された開口に組み込まれるコンロ本体を備えたビルトインコンロであって、前記コンロ本体の前面の右側又は左側には第１ユニットが組み込まれ、前記コンロ本体の前面の左側又は右側には第２ユニットが組み込まれ、前記第１ユニットは、第１構造体と、当該第１構造体の上部に取り付けられる第１部材とを備え、前記第２ユニットは、前記第１構造体とは異なる第２構造体と、当該第２構造体の上部に取り付けられる第２部材とを備え、前記第１構造体の上部には、第１係合部が設けられ、前記第２構造体の上部には、第２係合部が設けられ、前記第１部材及び前記第２部材の底部には、前記第１係合部及び前記第２係合部の何れにも係合する同一の被係合部が各々設けられている。
【０００９】
また、請求項２に係る発明のビルトインコンロは、請求項１に記載の発明の構成に加え、前記コンロ本体の左右両側には、前記第１部材又は前記第２部材を固定するための固定部が各々設けられている。
【００１０】
また、請求項３に係る発明のビルトインコンロは、請求項１又は２に記載の発明の構成に加え、前記第１構造体は、前記バーナを操作するための略直方体状の操作体であって、前記第２構造体は、電源としての乾電池を収納するための略直方体状の電池ボックスであることを特徴とする。
【発明の効果】
【００１１】
請求項１に係るビルトインコンロでは、コンロ本体の前面の右側又は左側に第１ユニットが組み込まれ、その反対側に第２ユニットが組み込まれる。第１ユニットは、第１構造体と、当該第１構造体の上部に取り付けられる第１部材とを備えている。第２ユニットは、第２構造体と、当該第２構造体の上部に取り付けられる第２部材とを備えている。第１構造体の上部に設けられた第１係合部と、第２構造体の上部に設けられた第２係合部とは、第１部材及び第２部材の底部に設けられた同一の被係合部に係合できる。従って、ビルトインコンロを設置するキッチンのレイアウト事情等によって、コンロ本体の前面の構成を変更したい場合は、第１ユニットと、第２ユニットとにおいて、第１構造体の位置と第２構造体の位置とを互いに交換し、第１部材及び第２部材の各底部にそれぞれ取り付けた状態で、コンロ本体に組み込む。これにより、コンロ本体の前面の構成を種々変えることができる。また、コンロ本体の前面に、第１構造体、第２構造体、第１部材及び第２部材を取り付けることにおいて、第１構造体及び第２構造体と、第１部材及び第２部材とを互いに取り付けてユニット化した状態で、コンロ本体の前面に組み付けることができるので、従来において取り付けの際に必要であった固定フレーム等が不要となり、部品点数を減らすことができる。また、コンロ本体に対する組み付けも容易にできる。
【００１２】
また、請求項２に係るビルトインコンロでは、請求項１に記載の発明の効果に加え、コンロ本体の前面に第１ユニット及び第２ユニットを組み込んだ状態において、コンロ本体の左右両側に各々設けられた固定部に対して、第１部材又は第２部材を固定することによって、第１ユニット及び第２ユニットをコンロ本体に対して確実に固定できる。
【００１３】
また、請求項３に係るビルトインコンロでは、請求項１又は２に記載の発明の効果に加え、第１構造体は、バーナを操作するための略直方体状の操作体であって、第２構造体は、電源としての乾電池を収納するための略直方体状の電池ボックスであるので、これら略直方体の上面に対して、第１部材又は第２部材を安定して取り付けることができる。そして、コンロ本体に設置される各種バーナの配置に応じて、第１ユニットと、第２ユニットとにおいて、操作体の位置と電池ボックスの位置とを互いに交換できる。
【図面の簡単な説明】
【００１４】
【図１】ビルトインコンロ１の前面側から見た斜視図である。
【図２】コンロ本体２の前面から意匠パネル７，８を取り外した状態の斜視図である。
【図３】装置ユニット１０の斜視図である。
【図４】スイッチ取付部材３０の前側から見た斜視図である。
【図５】スイッチ取付部材３０を底面側から見た斜視図である。
【図６】電池ボックス５０の斜視図である。
【図７】装置ユニット２０の斜視図である。
【図８】操作ユニット６０の斜視図である。
【図９】取付用開口３に装置ユニット２０を組み付ける状態を右前方から見た斜視図である。
【図１０】取付用開口３に装置ユニット２０を組み付ける状態を左前方から見た斜視図である。
【発明を実施するための形態】
【００１５】
以下、本発明の一実施形態であるビルトインコンロ１について、図面を参照して説明する。図１に示すビルトインコンロ１は、図示外のシステムキッチンのカウンタトップに形成された開口に落とし込まれ、枠状の収納フレームにコンロ本体２が組み込まれることによって、システムキッチンに取り付けられるものである。
【００１６】
図１に示すように、ビルトインコンロ１は略直方体状のコンロ本体２を備えている。コンロ本体２の天面にはトッププレート１１１が設けられ、その右側には強火力バーナ１２１が設けられ、その反対の左側には中火力バーナ１２２が設けられている。
【００１７】
コンロ本体２の前面の略中央には、グリル庫から焼き網及び受け皿（図示外）を引き出すためのグリル扉５が設けられている。そして、グリル扉５には取っ手５Ａが設けられている。グリル扉５の右側の中段位置には、各種バーナ（図示外）を点火するための点火スイッチ７１，７２が設けられている。グリル扉５の左側の中段位置にも、各種バーナ（図示外）を点火するための点火スイッチ８１，８２が設けられている。
【００１８】
コンロ本体２の前面の右側には、コンロ本体２の前面の右側を装飾・保護するための意匠パネル７が取り付けられている。意匠パネル７は、点火スイッチ７１，７２の上側に取り付けられる第１パネル１１と、点火スイッチ７１，７２の下側に取り付けられる第２パネル１２とから構成されている。第１パネル１１のレバー用開口１７からは、各種バーナの火力を調節するために左右に回動する火力調節レバー９１，９２が突出している。
【００１９】
一方、コンロ本体２の前面の左側にも、コンロ本体２の前面の左側を装飾・保護するための意匠パネル８が取り付けられている。意匠パネル８も、点火スイッチ８１，８２の上側に取り付けられる第１パネル１４と、点火スイッチ８１，８２の下側に取り付けられる第２パネル１５とから構成されている。第１パネル１４のレバー用開口１８からは、各種バーナの火力を調節するために左右に回動する火力調節レバー９４，９５が突出している。
【００２０】
図２に示すように、コンロ本体２の前面の右側において、意匠パネル７を取り外すと、装置ユニット１０が組み込まれている。装置ユニット１０は、点火スイッチ７１，７２等を備えるスイッチ取付部材３０と、その下側に取り付けられ、電源としての乾電池を収納するための電池ボックス５０とから構成されている。
【００２１】
一方、コンロ本体２の前面の左側においても、意匠パネル８を取り外すと、装置ユニット２０が組み込まれている。装置ユニット２０は、点火スイッチ８１，８２等を備えるスイッチ取付部材４０と、その下側に取り付けられ、各種バーナを操作するための操作パネル（図示外）を前後方向に出退可能に保持する操作ユニット６０とから構成されている。
【００２２】
次に、装置ユニット１０の構造について、図３を参照して説明する。装置ユニット１０は、上述したように、略直方体状の電池ボックス５０と、該電池ボックス５０の上面に取り付けられたスイッチ取付部材３０とから構成されている。以下、各構成部材について説明する。
【００２３】
まず、スイッチ取付部材３０の構造について、図４，図５を参照して説明する。スイッチ取付部材３０は、土台部３１Ａと、該土台部３１Ａの上部に起立して設けられ、前後に両面を向けた正面視長方形状の板である保持部３１Ｂとからなる。土台部３１Ａの前側には、点火スイッチ７１，７２が押下可能に各々支持されている。土台部３１Ａの左右両側面の下部には、底面７９（図５参照）よりも下方に延出された取付用リブ７５，７５が各々設けられている。各取付用リブ７５の内側には、後述する電池ボックス５０の上面の左右に各々設けられたリブ５５が差し込まれる溝７７が形成されている。これら取付用リブ７５及び溝７７で「被係合部」を構成している。溝７７，７７のさらに内側であって、底面７９の後端側には、コンロ本体２に固定するための一対の固定孔７６，７６が左右両側に各々設けられている。
【００２４】
図４，図５に示すように、保持部３１Ｂの上端部近傍の左右両側の各位置には、コンロ本体２に固定するための固定孔３７，３７が各々設けられている。保持部３１Ｂの右端部には、右側方に延出したリブ３２が設けられている。リブ３２の下側部分は後方に屈曲して延設され、さらに下方に屈曲して延設され、その下端部が土台部３１Ａの右側の上部に連結されている。リブ３２の下端部近傍には、前後方向に貫通するコンロ本体２に固定するための固定孔３８が設けられている。
【００２５】
保持部３１Ｂの左端部にも、左側方にやや延出したリブ３３が設けられている。リブ３３の下側部分は後方に屈曲して延設され、さらに下方に屈曲して延設され、その下端部が土台部３１Ａの左側の上部に連結されている。リブ３３の下端部近傍にも、前後方向に貫通するコンロ本体２に固定するための固定孔（図示外）が設けられている。
【００２６】
次に、電池ボックス５０の構造について、図６を参照して説明する。電池ボックス５０は、前面が開口する略直方体状の箱であるボックス本体５２と、該ボックス本体５２の前面に開閉可能に取り付けられた蓋５１とから構成されている。蓋５１はその下端部が被軸支端となり、その反対側の上端部が上下方向に回動する自由端となる。ボックス本体５２の左右両側壁の各上端部には、該上端部に沿って上方に突出するリブ５５，５５が各々設けられている。ボックス本体５２の上面の後端部近傍の左右両側にはスイッチ取付部材３０（又は４０）に固定するための固定孔５７，５７が各々設けられている。このような電池ボックス５０のボックス本体５２の内側に、電源としての乾電池を２つ設置し、蓋５１を閉じるようになっている。
【００２７】
次に、装置ユニット２０の構造について、図７を参照して説明する。装置ユニット２０は、装置ユニット２０は、上述したように、略直方体状の操作ユニット６０と、該操作ユニット６０の上面に取り付けられたスイッチ取付部材４０とから構成されている。以下、各構成部材について説明する。
【００２８】
まず、スイッチ取付部材４０の構造について、図７を参照して説明する。なお、スイッチ取付部材４０は、上述したスイッチ取付部材３０と同じ構造である。スイッチ取付部材４０も、土台部４１Ａと、該土台部４１Ａの上部に起立して設けられ、前後に両面を向けた正面視長方形状の板である保持部４１Ｂとからなる。土台部４１Ａの前側には、点火スイッチ８１，８２が押下可能に各々支持されている。土台部４１Ａの左右両側面の下部には、底面（図示外）よりも下方に延出された取付用リブ８５が各々設けられている。各取付用リブ８５の内側には、後述する操作ユニット６０の操作カバー６１の前側の左右両側に各々設けられたリブ６８，６８が差し込まれる溝（図示外）が各々設けられている。これら取付用リブ８５及び溝で「被係合部」を構成している。
【００２９】
保持部４１Ｂの上端部近傍の左右両側の各位置には、コンロ本体２に固定するための固定孔４７，４７が各々設けられている。保持部４１Ｂの右端部には、右側方にやや延出したリブ４２が設けられている。リブ４２の下側部分は後方に屈曲して延設され、さらに下方に屈曲して延設され、その下端部が土台部４１Ａの右側の上部に連結されている。リブ４２の下端部近傍には、前後方向に貫通するコンロ本体２に固定するための固定孔４８が設けられている。
【００３０】
保持部４１Ｂの左端部にも、左側方にやや延出したリブ４３が設けられている。リブ４３の下側部分は後方に屈曲して延設され、さらに下方に屈曲して延設され、その下端部が土台部４１Ａの左側の上部に連結されている。リブ４３の下端部近傍にも、前後方向に貫通するコンロ本体２に固定するための固定孔４９（図１０参照）が設けられている。
【００３１】
次に、操作ユニット６０の構造について、図８を参照して説明する。操作ユニット６０は、バーナを操作するための略直方体状の操作パネル６２と、該操作パネル６２を前後方向に出退可能に保持する箱状の操作カバー６１とを備えている。操作ユニット６０には、操作パネル６２を一定速度で前方に押し出すための定荷重バネ装置（図示外）を備えている。操作カバー６１は、天壁６５と、その左右両端部から下方に延出して設けられた右側壁６６及び左側壁６７とを備えている。右側壁６６及び左側壁６７の各上端部の前側部分には、上方に突出するリブ６８，６８が各々設けられている。これら一対のリブ６８，６８の離間距離は、電池ボックス５０に設けられた一対のリブ５５，５５の離間距離と同一に調整されている。さらに、天壁６５の左右両側には、スイッチ取付部材３０（又は４０）に固定するための一対の固定孔６９，６９が各々設けられている。
【００３２】
次に、装置ユニット１０の組み立て方法について説明する。まず、電池ボックス５０（図６参照）の上面に、スイッチ取付部材３０（図５参照）を載置する。このとき、電池ボックス５０の上面に設けられたリブ５５，５５に、スイッチ取付部材３０の底面７９に設けられた溝７７，７７を合わせて係合させる。このとき、スイッチ取付部材３０の底面側に設けられた取付用リブ７５，７５は、電池ボックス５０の上面に設けられたリブ５５，５５の外側に各々配置されるので、電池ボックス５０の上面に被せた状態となる。この状態で、スイッチ取付部材３０の土台部３１Ａの底面７９に設けられた４つの固定孔７６のうち、前側の一対の固定孔７６，７６の各位置が、電池ボックス５０の上面に設けられた一対の固定孔５７，５７の各位置に対応するので、ビス（図示外）で各々締結する。これにより、装置ユニット１０の組み立てが完了する。
【００３３】
次に、装置ユニット２０の組み立て方法について説明する。まず、操作ユニット６０（図８参照）の上面に、スイッチ取付部材４０（図７参照）を載置する。このとき、操作ユニット６０の操作カバー６１の右側壁６６及び左側壁６７の各上端部に設けられた一対のリブ６８，６８に、スイッチ取付部材４０の底面に設けられた一対の溝（図示外）に合わせて係合させる。このとき、図７に示すように、スイッチ取付部材４０の底面側に設けられた取付用リブ８５，８５は、操作カバー６１に設けられたリブ６８，６８の外側に各々配置されるので、操作カバー６１の天壁６５の外面に被せた状態となる。この状態で、スイッチ取付部材４０の土台部４１Ａの底面に設けられた４つの固定孔（図示外）の各位置が、操作カバー６１の天壁６５の上面に設けられた４つの固定孔６９の各位置に対応するので、ビス（図示外）で各々締結する。これにより、装置ユニット２０の組み立てが完了する。
【００３４】
次に、コンロ本体２の前面に設けられた取付用開口３の構造について、図９，図１０を参照して説明する。コンロ本体２の前面の左側には、装置ユニット２０を前側から挿入して組み付けるための正面視長方形状の取付用開口３が設けられている。なお、コンロ本体２の前面の右側にも、装置ユニット１０を前側から挿入して組み付けるための正面視長方形状の取付用開口（図示外）が設けられている。
【００３５】
取付用開口３の上端部には、下方に延出した当接片１０１が設けられている。当接片１０１の左右両側には、前後方向に貫通する固定孔１０２，１０２が各々設けられている。コンロ本体２の左側壁４の前端部の略上半分には、右側方に向けてやや延出した当接片１０３が設けられている。取付用開口３の内側において、グリル庫の左側壁９の外面であって、当接片１０３に対向する位置には、左側方に向けて延出した当接片１０４（図１０参照）が設けられている。さらに、取付用開口３の内側において、図１０に示すように、左側壁４の内面における前側の略中段位置には、右側方に突出し、かつ前後に両面を向けた板状の突出片１０６が設けられている。突出片１０６の略中央には固定孔１０７が設けられている。なお、当接片１０１，１０３，１０４、突出片１０６，１０８が本発明の「固定部」に相当する。
【００３６】
次に、取付用開口３に装置ユニット２０を組み付ける方法について、図９，図１０を参照して説明する。まず、装置ユニット２０を、コンロ本体２の取付用開口３に対して前側から挿入する。すると、当接片１０１に対して、スイッチ取付部材４０の保持部４１Ｂの裏面の上端部が当接し、当接片１０３，１０４、突出片１０６，１０８に対して、スイッチ取付部材４０の保持部４１Ｂの左右両側のリブ４２，４３の裏面が当接して、装置ユニット２０の前後方向の位置決めが完了する。
【００３７】
このとき、当接片１０１に設けられた一対の固定孔１０２，１０２に対して、スイッチ取付部材４０の保持部４１Ｂの上端部近傍に設けられた一対の固定孔４７，４７が対向する。さらに、突出片１０６に設けられた固定孔１０７に対して、スイッチ取付部材４０の保持部４１Ｂのリブ４３に設けられた固定孔４９が対向する。さらに、突出片１０８に設けられた固定孔１０９に対して、スイッチ取付部材４０の保持部４１Ｂのリブ４２に設けられた固定孔４８が対向する。
【００３８】
この状態で、コンロ本体２の前面側から、固定孔４７，４８，４９に対して、ビス（図示外）を差し込んで締結する。これにより、装置ユニット２０が取付用開口３の内側に組み込まれた状態で、コンロ本体２に対して確実に固定できる。
【００３９】
なお、コンロ本体２の前面の右側に設けられた取付用開口（図示外）にも、取付用開口３に設けられた当接片１０１、当接片１０３、当接片１０４、突出片１０６と同形状の各部材がそれぞれ設けられている。それら各部材の位置は、取付用開口３における各位置とは左右対称の位置に各々配置されている。従って、装置ユニット２０を、コンロ本体２の前面の右側に設けられた取付用開口に組み付けることもでき、装置ユニット１０を、取付用開口３に組み付けることもできる。
【００４０】
なお、コンロ本体２の右側の取付用開口（図示外）に対して、装置ユニット１０を組み付ける方法については、取付用開口３に装置ユニット２０を組み付ける方法と全く同じである。
【００４１】
次に、電池ボックス５０と操作ユニット６０の配置変更について説明する。図１に示すように、本実施形態のビルトインコンロ１のコンロ本体２のトッププレート１１０には、右側に強火力バーナ１２１、左側に中火力バーナ１２２が各々設置されている。強火力バーナ１２１は、その周囲が高温になるため、ビルトインコンロ１がシステムキッチンに設置されたときに、壁側に強火力バーナ１２１が配置されないようにする必要がある。そこで、コンロ本体２において、強火力バーナ１２１と中火力バーナ１２２との位置を互いに交換することがある。この場合、装置ユニット１０，２０に設けられたスイッチ取付部材３０，４０は互いに同一形状であるから、その配線を変更するだけで、スイッチ取付部材３０，４０の位置を変更する必要はない。
【００４２】
しかしながら、ビルトインコンロ１の制御基板（図示外）が、操作ユニット６０側に配置されることが多く、高温に弱いことから、操作ユニット６０を強火力バーナ１２１が設置されている側とは反対側に配置する必要がある。従って、強火力バーナ１２１を右側から左側に位置を変更する場合は、スイッチ取付部材３０，４０の位置はそのままで、電池ボックス５０の位置と操作ユニット６０の位置とを互いに交換すればよい。
【００４３】
この場合、スイッチ取付部材３０の底面に操作ユニット６０を取り付け、スイッチ取付部材４０の底面に電池ボックス５０を取り付けて、それぞれユニット化すればよい。具体的には、まず、操作ユニット６０（図８参照）の上面に、スイッチ取付部材３０（図５参照）を載置する。このとき、操作ユニット６０の操作カバー６１に設けられた一対のリブ６８，６８に、スイッチ取付部材３０の底面に設けられた一対の溝７７，７７（図１０参照）を合わせて係合させる。このとき、スイッチ取付部材３０の底面側に設けられた取付用リブ７５，７５は、操作カバー６１に設けられたリブ６８，６８の外側に各々配置され、操作カバー６１の天壁６５の外面に被せた状態となる。この状態で、スイッチ取付部材３０の土台部３１Ａの底面に設けられた４つの固定孔７６の各位置が、操作カバー６１の天壁６５の上面に設けられた４つの固定孔６９の各位置に対応するので、ビス（図示外）で各々締結する。これにより、スイッチ取付部材３０と操作ユニット６０とのユニットが完成する。
【００４４】
一方、電池ボックス５０（図６参照）の上面に、スイッチ取付部材４０（図７参照）を載置する。このとき、電池ボックス５０の上面に設けられたリブ５５，５５に、スイッチ取付部材４０の底面に設けられた一対の溝（図示外）を合わせて係合させる。このとき、スイッチ取付部材４０の底面側に設けられた取付用リブ８５，８５は、電池ボックス５０の上面に設けられたリブ５５，５５の外側に各々配置され、電池ボックス５０の上面に被せた状態となる。この状態で、スイッチ取付部材４０の土台部４１Ａの底面に設けられた４つの固定孔（図示外）のうち、前側の一対の固定孔の各位置が、電池ボックス５０の上面に設けられた一対の固定孔５７，５７の各位置に対応するので、ビス（図示外）で各々締結する。これにより、スイッチ取付部材４０と電池ボックス５０とのユニットが完成する。
【００４５】
以上説明したように、本実施形態のビルトインコンロ１では、スイッチ取付部材３０，４０と、電池ボックス５０及び操作ユニット６０とをそれぞれユニット化できる。そして、それぞれユニット化した状態で、コンロ本体２の前面に組み付けることができるので、従来において取り付けの際に必要であった固定フレーム等が不要となる。即ち、部品点数を減らすことができるのでコスト削減ができる。
【００４６】
また、装置ユニット１０，２０の状態で、コンロ本体２にそのまま組み付けることができるので、取り付け時の作業性が向上する。さらに、スイッチ取付部材３０，４０の底面の左右両側には、同一形状の取付用リブ７５，８５と、溝７７が各々設けられている。一方、電池ボックス５０の上部には、一対のリブ５５，５５が設けられ、操作ユニット６０の操作カバー６１の上部には、一対のリブ６８，６８が設けられている。
【００４７】
そして、このようなスイッチ取付部材３０，４０の取付用リブ７５，８５と、溝７７とで構成される「被係合部」に対して、電池ボックス５０に設けられたリブ５５，５５と、操作カバー６１に設けられたリブ６８，６８との何れも係合させることができる。これにより、スイッチ取付部材３０，４０の位置はそのままで、電池ボックス５０の位置と、操作ユニット６０の位置とを互いに交換できる。従って、ビルトインコンロを設置するキッチンのレイアウト事情等によって、コンロ本体の前面の構成を変更できる。
【００４８】
なお、本発明は、上記実施形態に限定されることなく、種々の変更が可能であることは言うまでもない。例えば、上記実施形態では、操作ユニット６０を「第１構造体」とし、電池ボックス５０を「第２構造体」として説明したが、これ以外の部品であっても適用可能である。
【００４９】
また、上記実施形態では、操作ユニット６０の操作カバー６１に設けられたリブ６８は、前後方向の幅が短い短冊状に形成されているが、電池ボックス５０の上面に設けられたリブ５５のように前後方向に延出した形状であってもよい。
【符号の説明】
【００５０】
１  ビルトインコンロ
２  コンロ本体
３  取付用開口
１０  装置ユニット
２０  装置ユニット
３０  スイッチ取付部材
４０  スイッチ取付部材
５０  電池ボックス
５５  リブ
６０  操作ユニット
６１  操作カバー
６２  操作パネル
６８  リブ
７５  取付用リブ
７７  溝
７９  底面
８５  取付用リブ
１０１  当接片
１０２  固定孔
１０３  当接片
１０４  当接片
１０６  突出片
１０７  固定孔
１０８  突出片
１０９  固定孔
【図１】
2011052841.tif 000003
【図２】
2011052841.tif 000004
【図３】
2011052841.tif 000005
【図４】
2011052841.tif 000006
【図５】
2011052841.tif 000007
【図６】
2011052841.tif 000008
【図７】
2011052841.tif 000009
【図８】
2011052841.tif 000010
【図９】
2011052841.tif 000011
【図１０】
2011052841.tif 000012